(57)【要約】  レンズ（１０）は、シリンドリカル形状で凹面形状をなす入射面（１１）と光軸（１０ａ）に対して凸面形状をなす出射面（１２）とを有する。光源（２０）は、垂直方向に大きな広がり角、水平方向に垂直方向の広がり角より小さな広がり角を有する。光源（２０）は、レンズ（１０）の垂直方向の入射面側焦点距離の位置に配置する。光源（２０）の水平方向をレンズ（１０）のシリンドリカル形状の曲率方向となるよう配置する。
2017187609.tif 000002
【特許請求の範囲】
【請求項１】
シリンドリカル形状で凹面形状をなす入射面と光軸に対して凸面形状をなす出射面とを有するレンズと、
前記光軸に対して垂直な面内における一方の方向と、当該一方の方向とは９０度異なる他方の方向との広がり角が異なる光源とを備え、
前記光源は前記レンズの前記他方の方向の入射面側焦点距離の位置に配置され、かつ、前記光源の一方の方向が前記レンズのシリンドリカル形状の曲率方向に配置されたことを特徴とする平行光発生装置。
【請求項２】
前記光源の前記一方の方向の発光点幅が前記他方の方向の発光点幅より大きいことを特徴とする請求項１記載の平行光発生装置。
【請求項３】
前記光源は非点隔差を有する光源であることを特徴とする請求項１記載の平行光発生装置。
【請求項４】
前記光源は半導体レーザであることを特徴とする請求項３記載の平行光発生装置。
【請求項５】
前記光源は、前記一方の方向に複数の発光点を有することを特徴とする請求項１記載の平行光発生装置。
【請求項６】
前記光源は、前記複数の発光点の各発光幅Ｗと発光点の周期Ｐから決まるフィルファクタＦ．Ｆ．が０．５≦Ｆ．Ｆ．＜１を満たすアレイ状光源であることを特徴とする請求項５記載の平行光発生装置。
【請求項７】
前記光源は、半導体レーザアレイであることを特徴とする請求項５記載の平行光発生装置。
【発明の詳細な説明】
【技術分野】
【０００１】
この発明は、光軸に対して垂直な面内に含まれる２軸方向に非対称な広がり角を有する光を出射する光源と、光源からの出力光の広がり角を小さくする変換光学系を備えた平行光発生装置に関するものである。
【背景技術】
【０００２】
近年、高効率な照明のための光源に注目が集まっており、ＬＥＤ（Ｌｉｇｈｔ  Ｅｍｉｔｔｉｎｇ  Ｄｉｏｄｅ）やレーザを用いた固体照明の製品が実現されている。
光源から出射した光は、伝播に伴い広がっていくため、所望の光学系や照射面へ伝送するにあたり、広がり角を小さくし、平行光に近い光線とすることが求められている。光線を平行光とするためには、レンズを用いてレンズの入射面側焦点位置に光源を配置することでコリメートする技術が広く使われている。【０００３】
従来、例えば、特許文献１に示された構成は、非球面単レンズを使用し、レンズの焦点位置に光源を配置することで、広がり角の大きな光を略平行光とするものである。実際の光源は、点光源ではなく、有限の発光点の大きさを有している。このとき、水平方向及び垂直方向のコリメート後の広がり半角θｈｏ、θｖｏは、コリメートに用いたレンズの焦点距離ｆと光源の各方向の発光半幅ｗｈ及びｗｖを用いて、下式（１）のように、
θｈｏ＝Ｔａｎ−１（ｗｈ／ｆ）
θｖｏ＝Ｔａｎ−１（ｗｖ／ｆ）        （１）
となる。これより、焦点距離ｆのレンズでコリメートした場合、光源の発光半幅ｗｈ及びｗｖが大きくなるほど、コリメート後の広がり半角θｈｏ及びθｖｏが大きくなる。光源の発光幅は一般的に使用者が自由に変更できないため、広がり角を小さくするためには、レンズの焦点距離ｆを大きくする必要がある。このとき光源はレンズの入射面側焦点位置に配置するため、焦点距離ｆを大きくするにつれて、光源とレンズの距離が大きくなる。【０００４】
ところで、光の出射方向と垂直な面において、広がり角が異なる光源を用いる場合、レンズの有効径Φは、広がり角の大きな方向の光線に対して損失が発生しないように決めると、光の利用効率の観点から好ましい。大きな方向の広がり半角をθｖｉとした時、レンズ位置での光線の発光半幅ｗｖ１は、下式（２）に示すように、
ｗｖ１＝ｗｖ＋ｆ×Ｔａｎ（θｖｉ）      （２）
となる。これより、焦点距離ｆのレンズを用いる場合、広がり半角θｖｉ内のエネルギーを効率よく利用するためには、レンズの有効径Φは、２×ｗｖ１以上とすることが好ましい。その結果、焦点距離ｆを大きくすると、ｆに比例して大きな有効径Φを有するレンズが必要となる。レンズの有効径が式（２）の値より小さい場合、広がり半角θｖｉ内のエネルギーの一部はケラレにより失われる。
【先行技術文献】
【特許文献】
【０００５】
【特許文献１】特開平２−２３５０１０号公報
【発明の概要】
【発明が解決しようとする課題】
【０００６】
式（１）と式（２）の関係から、発光半幅ｗｈ及びｗｖを有する光源に対して、焦点距離ｆとレンズの有効径Φとコリメート後の広がり半角θｈｏ及びθｖｏは独立に決定することはできず、トレードオフの関係にある。つまり、広がり角を小さくするためには焦点距離ｆを大きくする必要があり、大きなレンズを離れた位置におく必要がある。焦点距離ｆの短いレンズを用いると、広がり角を小さくすることができない。このため、小型化と小さな広がり角及び高い光利用効率の条件を共に満足させることは困難であるという課題があった。【０００７】
本発明はこの課題を解決するためになされたものであり、小型化、小さな広がり角及び高い光利用効率の条件を共に満足させることのできる平行光発生装置を得ることを目的とする。
【課題を解決するための手段】
【０００８】
この発明に係る平行光発生装置は、シリンドリカル形状で凹面形状をなす入射面と光軸に対して凸面形状をなす出射面とを有するレンズと、光軸に対して垂直な面内における一方の方向と、一方の方向とは９０度異なる他方の方向との広がり角が異なる光源とを備え、光源はレンズの他方の方向の入射面側焦点距離の位置に配置され、かつ、光源の一方の方向がレンズのシリンドリカル形状の曲率方向に配置されたものである。
【発明の効果】
【０００９】
この発明に係る平行光発生装置は、シリンドリカル形状で凹面形状をなす入射面と光軸に対して凸面形状をなす出射面とを有するレンズを有し、一方の方向と他方の方向で異なる広がり角を有する光源をレンズの他方の方向の入射面側焦点距離の位置に配置し、かつ、一方の方向がレンズのシリンドリカル形状の曲率方向となるように配置するようにしたものである。これにより、平行光発生装置として、小型化、小さな広がり角及び高い光利用効率の条件を満足させることができる。
【図面の簡単な説明】
【００１０】
【図１】図１Ａはこの発明の実施の形態１の平行光発生装置の平面図、図１Ｂは側面図である。
【図２】図２Ａはこの発明の実施の形態１の平行光発生装置における光源の平面図、図２Ｂは側面図である。
【図３】図３Ａはこの発明の実施の形態１の平行光発生装置の光路を説明するための平面図、図３Ｂは側面図である。
【図４】水平方向及び垂直方向のコリメート後の広がり半角θｈｏ及びθｖｏと焦点距離ｆとの関係を示す説明図である。
【図５】光源の各方向の発光半幅ｗｈ及びｗｖと焦点距離ｆとの関係を示す説明図である。
【図６】図６Ａはこの発明の実施の形態２の平行光発生装置の平面図、図６Ｂは側面図である。
【図７】図７Ａはこの発明の実施の形態３の平行光発生装置における光源の平面図、図７Ｂは側面図である。
【発明を実施するための形態】
【００１１】
以下、この発明をより詳細に説明するために、この発明を実施するための形態について、添付の図面に従って説明する。
実施の形態１．
図１は、実施の形態１における平行光発生装置の説明図であり、図１Ａは平面図、図１Ｂは側面図である。
実施の形態１の平行光発生装置では、光軸に対して垂直な面内における一方の方向である水平方向と、一方の方向とは９０度異なる他方の方向である垂直方向とで異なる広がり角を有する光源２０として半導体レーザを用いる。水平方向の光線２０ａが最小の広がり半角であり、典型的には、２〜１５°（半角１／ｅ２）である。なお、内部位置２１ａは水平方向の光線２０ａの仮想的な出射点である。垂直方向の光線２０ｂが最大の広がり半角であり、典型的には、１５〜４５°（半角１／ｅ２）である。垂直方向の光線２０ｂの出射点は光源２０の端面２１ｂである。また、光源２０は、水平、垂直方向に有限の発光幅２０ｃと２０ｄを有する。水平方向の発光幅２０ｃは、通常数μｍから数１００μｍの範囲である。垂直方向の発光幅２０ｄは、通常１μｍから数μｍの範囲である。
【００１２】
図２Ａ及び図２Ｂに示すように、一般的に光源２０である半導体レーザは、数μｍから２０μｍ程度の非点隔差を有しており、水平方向と垂直方向で仮想的な出射点が異なり、水平方向は半導体レーザの端面より内部から出射しているように振舞う。すなわち、内部位置２１ａが仮想的な出射点である。レンズ１０は、入射面１１と出射面１２を備えた中心厚さｄの光学素子であり、屈折率ｎのガラスで作製する。レンズ１０は研磨やモールド成形など、通常レンズを作製する方法で作製する。入射面１１及び出射面１２には図示しないが光源波長に対する反射防止膜を表面に形成する。入射面１１は光源２０の水平方向の光線２０ａに対してシリンドリカルな凹面形状として構成し、出射面１２はレンズ１０の光軸１０ａに対して回転対称な凸面形状を有する。入射面１１は水平方向に曲率半径Ｒｈ１、垂直方向を曲率半径Ｒｖ１（平面）とした曲率を備えており、出射面１２は水平方向、垂直方向に共に曲率半径Ｒｖ２の曲率を備えている。入射面１１の水平方向の曲率半径Ｒｈ１及び出射面１２の水平方向の曲率半径Ｒｈ２及び、レンズの厚さｄ、及びガラスの屈折率ｎは、次式（３）の関係を満たすものとする。
2017187609.tif 000003
なお、曲率半径Ｒｈ１とＲｈ２の符号は、入射面１１及び出射面１２と光軸１０ａの交点を基準に、曲率中心の位置が光源側にある場合を正、対向する側にある場合を負として定義する。
【００１３】
垂直方向の光線２０ｂに対して、垂直方向の焦点距離ｆ及び前側（光源側）焦点距離ＦＦＬｖは、入射面１１の垂直方向の曲率半径Ｒｖ１、出射面１２の垂直方向の曲率半径Ｒｖ２、レンズの厚さｄ及びガラスの屈折率ｎを用いて、次式（４）となる。
2017187609.tif 000004
ここで、ｈ１はレンズ１０の垂直方向の前側（光源側）主点位置であり、符号は、入射面１１と光軸１０ａの交点からレンズ内部の方向に向かって正と定義する。曲率半径Ｒｖ１が無限大（平面）の場合、式（４）は簡略化され、次式（５）となる。
2017187609.tif 000005
出射面１２を回転対称とした場合、曲率半径Ｒｈ２＝Ｒｖ２であり、式（３）と式（５）を関係付ける。光源２０は、レンズ１０の垂直方向に対する焦点距離ＦＦＬｖにその端面２１ｂが位置するように設置する。
【００１４】
次に実施の形態１の動作を図３を用いて説明する。図３Ａは平面図、図３Ｂは側面図である。
光源２０から出射した光線は、広がりながらレンズ１０の入射面１１に入射し、入射面１１から出射面１２までレンズ内部を伝播し、出射面１２から出射する。入射面１１は、シリンドリカル形状としているので、水平方向の光線２０ａと垂直方向の光線２０ｂは、入射面１１の形状により異なる作用を受ける。説明を簡略化するため、光源２０からの光線として水平方向は水平方向の光線２０ａ、垂直方向は垂直方向の光線２０ｂのみを考える。
【００１５】
水平方向の光線２０ａは、半導体レーザの内部位置２１ａから出射するように振る舞い、曲率半径Ｒｈ１の凹面及び、曲率半径Ｒｈ２の凸面により、ビーム径が拡大される。以上の光線の動作を光線行列（これについては、例えば文献：Ｌａｓｅｒｓ，Ａ．Ｅ．Ｓｉｅｇｍａｎ，Ｕｎｉｖｅｒｓｉｔｙ  Ｓｃｉｅｎｃｅ  Ｂｏｏｋｓ，Ｍｉｌｌ  Ｖａｌｌｅｙ  Ｃａｌｉｆｏｒｎｉａ，１９８６．を参照）で説明する。光源２０からの水平方向の光線２０ａは、光源２０からレンズ１０の入射面１１までの距離（焦点距離ＦＦＬｖ）を伝播し、レンズ１０に入射する。レンズ１０の動作は、曲率半径Ｒｈ１、屈折率ｎの誘電体境界面（入射面１１）と、厚さｄ、屈折率ｎの誘電体中の伝播と、曲率半径Ｒｈ２、屈折率ｎの誘電体境界面（出射面１２）の各光学要素により水平方向の光線２０ａが受ける作用として説明できる。列ベクトルで記述される水平方向の光線２０ａに対して各光学要素が与える作用は、２行２列の行列で記述でき、それぞれ式（６）、式（７）、式（８）、式（９）となる。
【００１６】
2017187609.tif 000006
2017187609.tif 000007
2017187609.tif 000008
2017187609.tif 000009
【００１７】
ここで、ｒは各光学要素に入射する光線の光軸高さ、θは光軸を基準として各光学要素に入射する光線の角度、ｒ’は各光学要素から出射する光線の光軸高さ、θ’は各光学要素から出射する光線の角度である。なお、本明細書の以降の記述において、光学要素の作用を表す２行２列の行列の（１，１）成分をＡ、（１，２）成分をＢ、（２，１）成分をＣ、（２，２）成分をＤとして定義することとする。例えば、式（７）のＣとは、（ｎ−１）／（ｎＲｈ１）を表す。
これより、入射面１１から出射面１２までに水平方向の光線２０ａが受ける作用は、各光学要素を表す行列の積として、次式（１０）となる。
2017187609.tif 000010
式（１０）を式（３）の関係から整理すると、次式（１１）のようになる。
2017187609.tif 000011
【００１８】
式（３）を満たす理想的な拡大系の場合、入射面１１での水平方向ビーム半径ｗｈ１は出射面１２でおおむねＲｈ２／Ｒｈ１倍になり、入射面１１に入射した水平方向の光線２０ａの広がり半角θｈ１は出射面でＲｈ１／Ｒｈ２倍になる。
これより、曲率半径Ｒｈ１とＲｈ２の比率により、水平方向の広がり角を小さくすることが可能となる。これは、水平方向をコリメートではなく拡大系としたことで、水平方向の広がり角が、式（１）に示した光源の発光半幅ｗｈ及びｗｖと焦点距離ｆの関係とは独立して決定できることを示している。
また、式（６）と式（１１）の行列の積から、光源２０から出射面１２までに水平方向の光線２０ａが受ける作用を求めることができ、式（１２）となる。
2017187609.tif 000012
【００１９】
式（１１）と式（１２）とを比較すると、光源２０から入射面１１までの伝播により、入射面１１でのビーム径がｒからｒ＋ＦＦＬｖ×θに増大しただけであり、入射面１１と出射面１２間のビーム径及び広がり角の変化率は変わらないことがわかる。これは、伝播距離がＦＦＬｖである場合に限ったものでないことは式（１２）から明らかである。以上のことから、本発明の平行光発生装置においては、水平方向の広がり角が、光源２０とレンズ１０の光軸方向の距離に依存しないという点が明らかである。さらに、光軸方向だけでなく水平方向の位置ずれに対する光線の傾きの影響が小さいという利点について、位置ずれを考慮した光線行列により説明する。位置ずれを考慮すると、レンズ１０の入射面１１から出射面１２の間に水平方向の光線２０ａが受ける作用は式（１１）から式（１３）となる。ここで、Δはレンズの位置ずれ量、Δ’はレンズの傾きである。
2017187609.tif 000013
【００２０】
これを整理すると、次式（１４）となり、水平方向の位置ずれΔは、光線の角度には影響を与えないという特徴を有することがわかる。
2017187609.tif 000014
【００２１】
一方で、垂直方向の光線２０ｂは、焦点距離ＦＦＬｖの位置に半導体レーザの端面２１ｂを配置しているので、入射面１１の平面及び、曲率半径Ｒｖ２の凸面により、コリメートされる。
以上の光線の動作を水平方向と同様に光線行列で説明する。光源から出射した光線２０ｂは、光源からレンズ１０の入射面１１までの距離（焦点距離ＦＦＬｖ）を伝播し、レンズ１０に入射する。レンズ１０の動作は、曲率半径Ｒｖ１、屈折率ｎの誘電体境界面（入射面１１）と、厚さｄ、屈折率ｎの誘電体中の伝播と、曲率半径Ｒｖ２、屈折率ｎの誘電体境界面（出射面１２）の各光学要素により垂直方向の光線２０ｂが受ける作用として説明ができる。列ベクトルで記述される垂直方向の光線２０ｂに対して各光学要素与える作用は、２行２列の行列で記述でき、それぞれ式（１５）、式（１６）、式（１７）となる。
2017187609.tif 000015
2017187609.tif 000016
2017187609.tif 000017
これより、入射面１１から出射面１２までに垂直方向の光線２０ｂが受ける作用は、これらの積として、次式（１８）となる。
2017187609.tif 000018
【００２２】
曲率半径Ｒｖ１を無限大（平面）、曲率半径Ｒｖ２＝Ｒｈ１とし整理すると次式（１９）となる。
2017187609.tif 000019
前側（光源側）主点位置ｈ１及び光源側（前側）焦点距離ＦＦＬｖは、式（１９）の（Ｄ−１）／Ｃ、及び（Ｄ−２）／Ｃであり、代入すると式（５）と同様となる。
また、式（６）と式（１９）の行列の積から、光源２０から出射面１２までに垂直方向の光線２０ｂが受ける作用を求めることができ、次式（２０）となる。
2017187609.tif 000020
式（２０）より、光源２０のある一点からの垂直方向の光線２０ｂは、出射面１２から出射後、平行光になることがわかる。また、有限の発光幅を有する場合、式（２０）の入射光線の光軸高さｒを発光半幅ｗｖ１と読み替えることで、式（１）に示した関係が得られる。
【００２３】
このように水平方向と垂直方向の光線の関係が得られるので、垂直方向の広がり角の要求値に合わせて垂直方向の焦点距離ｆ、すなわち、曲率半径Ｒｖ２とレンズの屈折率ｎを決定し、水平方向の広がり角の要求値に合わせて曲率半径Ｒｈ１と厚さｄを選ぶことが可能となる。
【００２４】
本発明の有意性を示すために、例えば、波長８０８ｎｍのＥＡＧＬＥＹＡＲＤ社製の半導体レーザ（型番：ＥＹＰ−ＢＡＬ−０８０８−０８０００−４０２０−ＣＭＴ−００００）を回転対称な平凸レンズを用いてコリメートすることを考える。上記半導体レーザは、水平方向の広がり半角が８．５°、垂直方向の広がり半角が２５．５°、水平方向の発光幅は２００μｍであり、垂直方向の発光幅は１μｍとする。コリメート後の広がり角を水平、垂直方向ともに半角１°にすることとする。
【００２５】
図４は、水平方向及び垂直方向のコリメート後の広がり半角θｈｏ４０１及びθｖｏ４０２と焦点距離ｆとの関係を示し、図５は、光源２０の各方向の発光半幅ｗｈ５０１及びｗｖ５０２と焦点距離ｆとの関係を示している。式（１）及び式（２）を用いると、これら図４及び図５に示すように、焦点距離５．７ｍｍ、有効開口５．５ｍｍのレンズが必要となる。一方で、本実施の形態によれば、例えば曲率半径Ｒｈ１：０．２ｍｍ、曲率半径Ｒｈ２＝Ｒｖ２：１．７ｍｍ、厚さ３．４ｍｍ、屈折率１．８、垂直方向焦点距離：２．１ｍｍ、光源側焦点位置：０．２５ｍｍ、有効径２ｍｍのレンズを用いることが可能で、小さな広がり角と、高い光利用効率を満足しつつ、レンズの大幅な小径化も可能となる。曲率半径等の値は本構成に限るものではないことは当然であり、垂直方向の焦点距離を短くしスケーリングすることで、さらに小型化をすることも可能である。
【００２６】
以上のように、垂直方向に大きな広がり角を有し、水平方向に小さな広がり角を有する光源２０に対して、シリンドリカル形状で凹面形状をなす入射面１１と、光軸１０ａに回転対称形状で凸面形状をなす出射面１２を有するレンズ１０を、光源２０の水平方向がレンズ１０のシリンドリカル形状の曲率方向になるように配置し、かつ垂直方向の入射面側焦点距離ＦＦＬｖの位置に光源２０の端面２１ｂを配置したことにより、光源２０の水平方向の光はレンズ１０の入射面１１と出射面１２で拡大され、光源２０の垂直方向の光はレンズ１０の出射面１２で略平行光に変換されるので、小さな広がり角、高い光利用効率及び小型化の条件を共に満たす平行光発生装置を実現することができる。
【００２７】
なお、上記例では、光源２０を半導体レーザとした場合について説明したが、他の種類のレーザやレーザでない光源についても同様の効果が得られる。しかし、半導体レーザを適用した場合には、より好適であることについて説明する。
一つに、非点隔差による広がり角の増大が発生しないことがある。回転対称なレンズを用いる場合は、レンズの焦点位置を半導体レーザの端面２１ｂに一致させると水平方向にフォーカスずれが発生し、広がり角が増大する。また、非点隔差を補正するために、水平方向と垂直方向で異なる焦点距離を有するレンズを用い、水平方向の焦点位置を半導体レーザの内部位置２１ａに一致させ、垂直方向の焦点位置を半導体レーザの端面２１ｂに一致させるレンズを用いる手法も存在する。しかし、半導体レーザの水平方向の出射点位置である内部位置２１ａはばらつきがあり、またレーザ出力に依存して変化するため、複数の動作条件で非点隔差による広がり角の増大を抑制することは難しい。本実施の形態によれば、水平方向の広がり角は、光源２０とレンズ１０間の配置距離に依存しないため、垂直方向の焦点距離ＦＦＬｖの位置に光源２０の端面２１ｂを配置することで、非点隔差が存在し、さらにばらつきやレーザの出力依存性があっても水平方向の広がり角が増大しないという効果を有する。
【００２８】
もう一つの効果として、光源２０とレンズ１０の水平方向の位置決め精度を緩くすることが可能な点がある。従来のコリメート法によると、水平及び垂直方向に位置ずれが発生すると、式（２０）からわかるように、光線の出射方向が理想的な出射方向に対して傾くという課題がある。光線の傾きを抑制するために、レンズ１０は光源２０に対して精度良く位置決めすることが求められており、典型的には数μｍから数１０μｍ程度の設置精度が要求される。
ところで、半導体レーザのチップ外形に対する発光点の位置精度は、垂直方向には高い精度を有するが、水平方向は精度が低い。これは、垂直方向は、厳密に厚さ制御がなされているのに対し、水平方向はウエハからチップに切出す際の精度に依存するからであり、水平方向は通常数μｍから数１０μｍの切出し精度となる。このため、チップの外形に対して水平方向の発光点位置がばらついてしまい、例えば、チップとレンズを外形基準で高精度に組み立てた場合にも水平方向の発光点とレンズの相対位置はばらついてしまう。これに対して、本実施の形態においては、チップ切出し位置のばらつきによる水平方向の位置ずれが発生したとしても、光線の出射方向の傾きに与える影響が小さく、外形基準での組立てを容易にすることができるという効果を有する。
【００２９】
なお、レンズ１０の入射面１１の形状は、水平方向は凹面上のシリンドリカル形状としたが、この凹面形状は、球面であってもよいし、非球面であってもよい。非球面とすることで、光学系で発生する収差をより良く補正することが期待できる。ところで、本発明の水平方向の動作は、入射面１１の誘電体境界面の焦点位置の光源像を、出射面１２の誘電体境界面でコリメートすることと等価である。これは、軸対称でないものも含めて、従来のコリメートレンズが、入射面の誘電体境界面による結像位置の光源像を、出射面の誘電体境界面でコリメートすることと異なる点である。これより、式（３）と厳密に一致しなくても本効果が得られることは明らかであり、出射面１２の誘電体境界面の焦点位置が、入射面１１の誘電体境界面による光源２０の結像位置で無く、焦点面に近い範囲に位置する場合に有効となる。また、垂直方向の形状は、単純な平面としたが、完全な平面である必要はなく、凹面や凸面としても、本発明の効果が得られることに変わりは無い。例えば、凹面にすることで、光線の入射角度を緩くすることが可能であるので、収差をより小さくすることが期待できる。出射面１２の形状は、回転対称な凸面としたが、厳密に回転対称である必要はない。水平方向と垂直方向で曲率半径の異なるトロイダル面とすることで、設計上の自由度が増加するため収差を良く補正することが期待できるが、回転対称な形状とすると、研磨や成形といったレンズ製作が容易になる。レンズ１０の材料は、ガラスである必要はなく、プラスチックや結晶などでもよい。レンズ１０の焦点距離ＦＦＬｖと光源２０の設置位置は厳密に一致させる必要はなく、垂直方向の広がり角の要求値の範囲内であれば、前後にずれても問題がないことは明らかである。例えば、水平方向と垂直方向の広がり角を同一とする場合、式（１２）と式（２０）（ＦＦＬｖをＦＦＬｖ＋Δとして計算する）の関係から、
Ｒｈ１／Ｒｈ２×θｈ１＝Δ／ｆ×θｖ      （２１）
を満たす範囲で許容可能となる。ここでθｖは光源２０から垂直方向に出射した広がり角である。
【００３０】
以上説明したように、実施の形態１の平行光発生装置によれば、シリンドリカル形状で凹面形状をなす入射面と光軸に対して凸面形状をなす出射面とを有するレンズと、光軸に対して垂直な面内における一方の方向と、一方の方向とは９０度異なる他方の方向との広がり角が異なる光源とを備え、光源はレンズの他方の方向の入射面側焦点距離の位置に配置され、かつ、光源の一方の方向がレンズのシリンドリカル形状の曲率方向に配置されたので、平行光発生装置として、小型化、小さな広がり角及び高い光利用効率の条件を満足させることができる。
【００３１】
また、実施の形態１の平行光発生装置によれば、光源の一方の方向の発光点幅が他方の方向の発光点幅より大きいようにしたので、異なる広がり角を有する光源を実現することができる。
【００３２】
また、実施の形態１の平行光発生装置によれば、光源は非点隔差を有する光源であるようにしたので、異なる広がり角を有する光源の実現に寄与することができる。
【００３３】
また、実施の形態１の平行光発生装置によれば、光源は半導体レーザとしたので、小型化、小さな広がり角及び高い光利用効率の条件を満足させることのできる平行光発生装置を実現することができる。
【００３４】
実施の形態２．
図６は実施の形態２における平行光発生装置の説明図であり、図６Ａはその平面図、図６Ｂはその側面図を示す。
実施の形態２の平行光発生装置は、光源３０として、水平方向に複数の発光点を有する半導体レーザアレイを用いたことが実施の形態１の光源２０とは異なる点である。その他の点については実施の形態１と同様であるため、対応する部分に同一符号を付してその説明を省略する。
【００３５】
次に、実施の形態２の動作について説明する。
実施の形態１と同様に、レンズ１０の垂直方向の光源側焦点距離ＦＦＬｖの位置に半導体レーザアレイである光源３０の端面３１を設置する。光源３０からの水平方向の光線３０ａは、曲率半径Ｒｈ１のレンズ１０の凹面及び曲率半径Ｒｈ２の凸面により、各発光点から出射した光線それぞれのビーム径が拡大される。光源３０からの垂直方向の光線３０ｂは、焦点距離ＦＦＬｖの位置に光源３０を配置しているので、レンズ１０における入射面１１の平面及び曲率半径Ｒｖ２の凸面によりコリメートされる。これにより、実施の形態１と同様に、光源３０の水平方向の光はレンズ１０の入射面１１と出射面１２で拡大され、光源３０の垂直方向の光はレンズ１０の出射面１２で略平行光に変換されるので、小さな広がり角、高い光利用効率及び小型化の条件を共に満たす平行光発生装置を実現することが可能となる。
【００３６】
半導体レーザアレイである光源３０から出射する光を、単純にコリメートした場合、レンズ後のビームパターンは、アレイ状になっており、空間的に均一性が低い。一方で、本実施の形態においては、シリンドリカル形状で凹面形状をなす入射面１１と、光軸１０ａに回転対称形状で凸面形状をなす出射面１２を有するレンズ１０を、光源３０の水平方向がレンズのシリンドリカル形状の曲率方向になるように配置し、かつ垂直方向の焦点距離ＦＦＬｖの位置に光源３０の端面３１を配置したことにより、水平方向の各発光点から出射したビームが拡大され、広がり角を小さくしつつ、各ビームを重ねることが可能なので、空間的に均一なビームを得ることができるという特徴がある。空間的に均一なビームは、均一光学系などを使わずに直接照明に使う場合などに特に有用である。さらに、複数の発光点のビームが重なるので、レーザを照明に用いた場合に課題であるスペックルも均一光学系の追加なしに低減することができるという効果がある。
【００３７】
また、非点隔差は、半導体レーザ内部の温度分布の影響を受ける。半導体レーザアレイは、発熱密度が半導体レーザアレイの中心部と端部で異なるため、中心部と端部では内部の温度分布が変化し、非点隔差の大きさが発光点ごとにばらつく要因となる。しかしながら、本実施の形態においては、各発光点で非点隔差のばらつきがあっても、広がり角の増大が抑制でき、安定した平行光が得られるという効果を有する。
【００３８】
なお、光源３０が、水平方向の位置によって発光幅または発光点の周期が異なるアレイ状光源であった場合にも、本発明のレンズ１０との組み合わせにおいて、同様の効果を得られることは言うまでも無い。
アレイ状光学素子を用いる場合と比較すると、単純な構成で安価であり、また、発光幅及び発光点の周期が水平方向に静的及び動的に変化する場合においても、実施の形態２の構成では小さな広がり角、高い光利用効率及び小型化の条件を満足させることができるという効果がある。
【００３９】
以上説明したように、実施の形態２の平行光発生装置によれば、光源は、一方の方向に複数の発光点を有するようにしたので、平行光発生装置として、小型化、小さな広がり角及び高い光利用効率の条件を満足させることができる。
【００４０】
また、実施の形態２の平行光発生装置によれば、光源を半導体レーザアレイとしたので、空間的に均一なビームを得ることができる。
【００４１】
実施の形態３．
実施の形態３は、実施の形態２における光源３０の複数の発光点の各発光幅Ｗと発光点の周期Ｐから決まるフィルファクタＦ．Ｆ．を定義したものである。
図７は、実施の形態３の光源３０の定義を示す説明図である。半導体レーザアレイからなる光源３０は、その発光幅Ｗと発光点の周期Ｐで特徴づけられ、フィルファクタＦ．Ｆ．を次式（２２）で定義する。
Ｆ．Ｆ．＝Ｗ／Ｐ        （２２）
本実施の形態では、平行光発生装置が式（２２）に示すフィルファクタＦ．Ｆ．が０．５≦Ｆ．Ｆ．＜１の範囲にある半導体レーザアレイを光源３０とした場合に、特に好適である。なお、実施の形態３の平行光発生装置における全体の構成及び動作は実施の形態２と同様であるため、ここでの説明は省略する。
【００４２】
光源３０の広がり角を、各発光点の光軸に対して回転対称なレンズからなるアレイ状コリメータレンズを用いて広がり角を小さくする場合を考える。レンズ後の広がり角は、理想的には発光幅Ｗとレンズの焦点距離ｆを用いて
θｈｏ＝２×ＴＡＮ−１（Ｗ／２／ｆ）            （２３）
となり、レンズ位置で各発光点の光が重ならないように焦点距離ｆを決めると、
ｆ＝（Ｐ―Ｗ）／（２×Ｔａｎ（θｈｉ／２））    （２４）
となるので、式（２３）と式（２４）を整理すると、
Ｔａｎ（θｈｏ／２）／Ｔａｎ（θｈｉ／２）
＝Ｆ．Ｆ．／（１−Ｆ．Ｆ．）                    （２５）
となり、光源３０からの水平方向広がり角とアレイ状レンズ後の広がり角は光源３０のフィルファクタＦ．Ｆ．で制限される。式（２５）より、フィルファクタF．Ｆ．が０．５以上のアレイ状光源は、従来の回転対称なレンズでコリメートするために、前側焦点位置に光源を配置した場合には、ある広がり角θ内のビームに対してケラレが無い条件で、水平方向の広がり角を小さくすることができないことがわかる。
また、各発光点の光軸に対して回転対称でないレンズをアレイ状に組み合わせたコリメータレンズを用いることも考えられるが、レンズの作製難度が高く、安価に作ることが難しい。また、光源とレンズの組立て難度も高くなる。
一方で、本発明のレンズ１０と半導体レーザアレイからなる光源３０との組み合わせにおいては、いかなるフィルファクタＦ．Ｆ．のアレイ状光源においても水平方向の広がり角を小さくすることが可能であり、小さな広がり角、高い光利用効率及び小型化の条件を満足させることのできる平行光発生装置が実現できる。
【００４３】
いま、光源３０の発光幅Ｗと発光幅の周期Ｐに合わせて、レンズ１０をアレイ状に配置した光学素子を用いた場合について考える。この場合、水平方向の広がり角は、これまでの説明と同様で、入射面と出射面でのビーム径の比率である倍率で決まる。ここで、入射面でのビーム径が、発光幅Ｗより小さくならないこと、及びレンズ内部及び出射面でケラレが発生しないためには出射面でのビーム径は発光点の周期Ｐより大きくできないので、最大の倍率は、
ｍ＝Ｐ／Ｗ＝１／Ｆ．Ｆ．    （２６）
と制限される。これよりレンズ後の水平方向の広がり角は、元の広がり角のフィルファクタＦ．Ｆ．倍に制限されてしまう。
以上の結果から、式（２２）に示すフィルファクタＦ．Ｆ．が０．５〜１の範囲にある半導体レーザアレイを光源３０とした場合に、実施の形態３の平行光発生装置は特に好適である。
【００４４】
以上説明したように、実施の形態３の平行光発生装置によれば、光源は、複数の発光点の各発光幅Ｗと発光点の周期Ｐから決まるフィルファクタＦ．Ｆ．が０．５≦Ｆ．Ｆ．＜１を満たすアレイ状光源としたので、平行光発生装置として、小型化、小さな広がり角及び高い光利用効率の条件をさらに満足させることができる。
【００４５】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４６】
以上のように、この発明に係る平行光発生装置は、光軸に対して垂直な面内に含まれる２軸方向に非対称な広がり角を有する光を出射する光源と、光源からの出力光の広がり角を小さくする変換光学系を備えた構成に関するものであり、ＬＥＤやレーザを用いた固体照明に用いるのに適している。
【符号の説明】
【００４７】
１０  レンズ、１０ａ  光軸、１１  入射面、１２  出射面、２０，３０  光源、２０ａ，３０ａ  水平方向の光線、２０ｂ，３０ｂ  垂直方向の光線、２０ｃ  水平方向の発光幅、２０ｄ  垂直方向の発光幅、２１ａ  内部位置、２１ｂ，３１  端面。
【図１】
2017187609.tif 000021
【図２】
2017187609.tif 000022
【図３】
2017187609.tif 000023
【図４】
2017187609.tif 000024
【図５】
2017187609.tif 000025
【図６】
2017187609.tif 000026
【図７】
2017187609.tif 000027
【手続補正書】
【提出日】平成28年11月28日(2016.11.28)
【手続補正１】
【補正対象書類名】明細書
【補正対象項目名】０００８
【補正方法】変更
【補正の内容】
【０００８】
この発明に係る平行光発生装置は、シリンドリカル形状で凹面形状をなす入射面と光軸に対して回転対称な凸面形状をなす出射面とを有するレンズと、光軸に対して垂直な面内における一方の方向と、一方の方向とは９０度異なる他方の方向との広がり角が異なる光源とを備え、光源はレンズの他方の方向の入射面側焦点距離の位置に配置され、かつ、光源の一方の方向がレンズのシリンドリカル形状の曲率方向に配置されたものである。
【手続補正２】
【補正対象書類名】明細書
【補正対象項目名】０００９
【補正方法】変更
【補正の内容】
【０００９】
この発明に係る平行光発生装置は、シリンドリカル形状で凹面形状をなす入射面と光軸に対して回転対称な凸面形状をなす出射面とを有するレンズを有し、一方の方向と他方の方向で異なる広がり角を有する光源をレンズの他方の方向の入射面側焦点距離の位置に配置し、かつ、一方の方向がレンズのシリンドリカル形状の曲率方向となるように配置するようにしたものである。これにより、平行光発生装置として、小型化、小さな広がり角及び高い光利用効率の条件を満足させることができる。
【手続補正３】
【補正対象書類名】明細書
【補正対象項目名】００３０
【補正方法】変更
【補正の内容】
【００３０】
以上説明したように、実施の形態１の平行光発生装置によれば、シリンドリカル形状で凹面形状をなす入射面と光軸に対して回転対称な凸面形状をなす出射面とを有するレンズと、光軸に対して垂直な面内における一方の方向と、一方の方向とは９０度異なる他方の方向との広がり角が異なる光源とを備え、光源はレンズの他方の方向の入射面側焦点距離の位置に配置され、かつ、光源の一方の方向がレンズのシリンドリカル形状の曲率方向に配置されたので、平行光発生装置として、小型化、小さな広がり角及び高い光利用効率の条件を満足させることができる。
【手続補正４】
【補正対象書類名】特許請求の範囲
【補正対象項目名】全文
【補正方法】変更
【補正の内容】
【特許請求の範囲】
【請求項１】
シリンドリカル形状で凹面形状をなす入射面と光軸に対して回転対称な凸面形状をなす出射面とを有するレンズと、
前記光軸に対して垂直な面内における一方の方向と、当該一方の方向とは９０度異なる他方の方向との広がり角が異なる光源とを備え、
前記光源は前記レンズの前記他方の方向の入射面側焦点距離の位置に配置され、かつ、前記光源の一方の方向が前記レンズのシリンドリカル形状の曲率方向に配置されたことを特徴とする平行光発生装置。
【請求項２】
前記光源の前記一方の方向の発光点幅が前記他方の方向の発光点幅より大きいことを特徴とする請求項１記載の平行光発生装置。
【請求項３】
前記光源は非点隔差を有する光源であることを特徴とする請求項１記載の平行光発生装置。
【請求項４】
前記光源は半導体レーザであることを特徴とする請求項３記載の平行光発生装置。
【請求項５】
前記光源は、前記一方の方向に複数の発光点を有することを特徴とする請求項１記載の平行光発生装置。
【請求項６】
前記光源は、前記複数の発光点の各発光幅Ｗと発光点の周期Ｐから決まるフィルファクタＦ．Ｆ．が０．５≦Ｆ．Ｆ．＜１を満たすアレイ状光源であることを特徴とする請求項５記載の平行光発生装置。
【請求項７】
前記光源は、半導体レーザアレイであることを特徴とする請求項５記載の平行光発生装置。
【手続補正書】
【提出日】平成29年3月30日(2017.3.30)
【手続補正１】
【補正対象書類名】明細書
【補正対象項目名】０００８
【補正方法】変更
【補正の内容】
【０００８】
この発明に係る平行光発生装置は、シリンドリカル形状で凹面形状をなす入射面と光軸に対して軸対称な凸面形状をなす出射面とを有するレンズと、光軸に対して垂直な面内における一方の方向と、一方の方向とは９０度異なる他方の方向との広がり角が異なる光源とを備え、光源はレンズの他方の方向の入射面側焦点距離の位置に配置され、かつ、光源の一方の方向がレンズのシリンドリカル形状の曲率方向に配置されたものである。
【手続補正２】
【補正対象書類名】明細書
【補正対象項目名】００１２
【補正方法】変更
【補正の内容】
【００１２】
図２Ａ及び図２Ｂに示すように、一般的に光源２０である半導体レーザは、数μｍから２０μｍ程度の非点隔差を有しており、水平方向と垂直方向で仮想的な出射点が異なり、水平方向は半導体レーザの端面より内部から出射しているように振舞う。すなわち、内部位置２１ａが仮想的な出射点である。レンズ１０は、入射面１１と出射面１２を備えた中心厚さｄの光学素子であり、屈折率ｎのガラスで作製する。レンズ１０は研磨やモールド成形など、通常レンズを作製する方法で作製する。入射面１１及び出射面１２には図示しないが光源波長に対する反射防止膜を表面に形成する。入射面１１は光源２０の水平方向の光線２０ａに対してシリンドリカルな凹面形状として構成し、出射面１２はレンズ１０の光軸１０ａに対して軸対称な凸面形状を有する。入射面１１は水平方向に曲率半径Ｒｈ１、垂直方向を曲率半径Ｒｖ１（平面）とした曲率を備えており、出射面１２は水平方向、垂直方向に共に曲率半径Ｒｖ２の曲率を備えている。入射面１１の水平方向の曲率半径Ｒｈ１及び出射面１２の水平方向の曲率半径Ｒｈ２及び、レンズの厚さｄ、及びガラスの屈折率ｎは、次式（３）の関係を満たすものとする。
2017187609.tif 000028
なお、曲率半径Ｒｈ１とＲｈ２の符号は、入射面１１及び出射面１２と光軸１０ａの交点を基準に、曲率中心の位置が光源側にある場合を正、対向する側にある場合を負として定義する。
【手続補正３】
【補正対象書類名】明細書
【補正対象項目名】００１３
【補正方法】変更
【補正の内容】
【００１３】
垂直方向の光線２０ｂに対して、垂直方向の焦点距離ｆ及び前側（光源側）焦点距離ＦＦＬｖは、入射面１１の垂直方向の曲率半径Ｒｖ１、出射面１２の垂直方向の曲率半径Ｒｖ２、レンズの厚さｄ及びガラスの屈折率ｎを用いて、次式（４）となる。
2017187609.tif 000029
ここで、ｈ１はレンズ１０の垂直方向の前側（光源側）主点位置であり、符号は、入射面１１と光軸１０ａの交点からレンズ内部の方向に向かって正と定義する。曲率半径Ｒｖ１が無限大（平面）の場合、式（４）は簡略化され、次式（５）となる。
2017187609.tif 000030
出射面１２を軸対称とした場合、曲率半径Ｒｈ２＝Ｒｖ２であり、式（３）と式（５）を関係付ける。光源２０は、レンズ１０の垂直方向に対する焦点距離ＦＦＬｖにその端面２１ｂが位置するように設置する。
【手続補正４】
【補正対象書類名】明細書
【補正対象項目名】００２４
【補正方法】変更
【補正の内容】
【００２４】
本発明の有意性を示すために、例えば、波長８０８ｎｍのＥＡＧＬＥＹＡＲＤ社製の半導体レーザ（型番：ＥＹＰ−ＢＡＬ−０８０８−０８０００−４０２０−ＣＭＴ−００００）を軸対称な平凸レンズを用いてコリメートすることを考える。上記半導体レーザは、水平方向の広がり半角が８．５°、垂直方向の広がり半角が２５．５°、水平方向の発光幅は２００μｍであり、垂直方向の発光幅は１μｍとする。コリメート後の広がり角を水平、垂直方向ともに半角１°にすることとする。
【手続補正５】
【補正対象書類名】明細書
【補正対象項目名】００２６
【補正方法】変更
【補正の内容】
【００２６】
以上のように、垂直方向に大きな広がり角を有し、水平方向に小さな広がり角を有する光源２０に対して、シリンドリカル形状で凹面形状をなす入射面１１と、光軸１０ａに軸対称形状で凸面形状をなす出射面１２を有するレンズ１０を、光源２０の水平方向がレンズ１０のシリンドリカル形状の曲率方向になるように配置し、かつ垂直方向の入射面側焦点距離ＦＦＬｖの位置に光源２０の端面２１ｂを配置したことにより、光源２０の水平方向の光はレンズ１０の入射面１１と出射面１２で拡大され、光源２０の垂直方向の光はレンズ１０の出射面１２で略平行光に変換されるので、小さな広がり角、高い光利用効率及び小型化の条件を共に満たす平行光発生装置を実現することができる。
【手続補正６】
【補正対象書類名】明細書
【補正対象項目名】００２７
【補正方法】変更
【補正の内容】
【００２７】
なお、上記例では、光源２０を半導体レーザとした場合について説明したが、他の種類のレーザやレーザでない光源についても同様の効果が得られる。しかし、半導体レーザを適用した場合には、より好適であることについて説明する。
一つに、非点隔差による広がり角の増大が発生しないことがある。軸対称なレンズを用いる場合は、レンズの焦点位置を半導体レーザの端面２１ｂに一致させると水平方向にフォーカスずれが発生し、広がり角が増大する。また、非点隔差を補正するために、水平方向と垂直方向で異なる焦点距離を有するレンズを用い、水平方向の焦点位置を半導体レーザの内部位置２１ａに一致させ、垂直方向の焦点位置を半導体レーザの端面２１ｂに一致させるレンズを用いる手法も存在する。しかし、半導体レーザの水平方向の出射点位置である内部位置２１ａはばらつきがあり、またレーザ出力に依存して変化するため、複数の動作条件で非点隔差による広がり角の増大を抑制することは難しい。本実施の形態によれば、水平方向の広がり角は、光源２０とレンズ１０間の配置距離に依存しないため、垂直方向の焦点距離ＦＦＬｖの位置に光源２０の端面２１ｂを配置することで、非点隔差が存在し、さらにばらつきやレーザの出力依存性があっても水平方向の広がり角が増大しないという効果を有する。
【手続補正７】
【補正対象書類名】明細書
【補正対象項目名】００２９
【補正方法】変更
【補正の内容】
【００２９】
なお、レンズ１０の入射面１１の形状は、水平方向は凹面上のシリンドリカル形状としたが、この凹面形状は、球面であってもよいし、非球面であってもよい。非球面とすることで、光学系で発生する収差をより良く補正することが期待できる。ところで、本発明の水平方向の動作は、入射面１１の誘電体境界面の焦点位置の光源像を、出射面１２の誘電体境界面でコリメートすることと等価である。これは、軸対称でないものも含めて、従来のコリメートレンズが、入射面の誘電体境界面による結像位置の光源像を、出射面の誘電体境界面でコリメートすることと異なる点である。これより、式（３）と厳密に一致しなくても本効果が得られることは明らかであり、出射面１２の誘電体境界面の焦点位置が、入射面１１の誘電体境界面による光源２０の結像位置で無く、焦点面に近い範囲に位置する場合に有効となる。また、垂直方向の形状は、単純な平面としたが、完全な平面である必要はなく、凹面や凸面としても、本発明の効果が得られることに変わりは無い。例えば、凹面にすることで、光線の入射角度を緩くすることが可能であるので、収差をより小さくすることが期待できる。出射面１２の形状は、軸対称な凸面としたが、厳密に軸対称である必要はない。水平方向と垂直方向で曲率半径の異なるトロイダル面とすることで、設計上の自由度が増加するため収差を良く補正することが期待できるが、軸対称な形状とすると、研磨や成形といったレンズ製作が容易になる。レンズ１０の材料は、ガラスである必要はなく、プラスチックや結晶などでもよい。レンズ１０の焦点距離ＦＦＬｖと光源２０の設置位置は厳密に一致させる必要はなく、垂直方向の広がり角の要求値の範囲内であれば、前後にずれても問題がないことは明らかである。例えば、水平方向と垂直方向の広がり角を同一とする場合、式（１２）と式（２０）（ＦＦＬｖをＦＦＬｖ＋Δとして計算する）の関係から、
Ｒｈ１／Ｒｈ２×θｈ１＝Δ／ｆ×θｖ      （２１）
を満たす範囲で許容可能となる。ここでθｖは光源２０から垂直方向に出射した広がり角である。
【手続補正８】
【補正対象書類名】明細書
【補正対象項目名】００３６
【補正方法】変更
【補正の内容】
【００３６】
半導体レーザアレイである光源３０から出射する光を、単純にコリメートした場合、レンズ後のビームパターンは、アレイ状になっており、空間的に均一性が低い。一方で、本実施の形態においては、シリンドリカル形状で凹面形状をなす入射面１１と、光軸１０ａに軸対称形状で凸面形状をなす出射面１２を有するレンズ１０を、光源３０の水平方向がレンズのシリンドリカル形状の曲率方向になるように配置し、かつ垂直方向の焦点距離ＦＦＬｖの位置に光源３０の端面３１を配置したことにより、水平方向の各発光点から出射したビームが拡大され、広がり角を小さくしつつ、各ビームを重ねることが可能なので、空間的に均一なビームを得ることができるという特徴がある。空間的に均一なビームは、均一光学系などを使わずに直接照明に使う場合などに特に有用である。さらに、複数の発光点のビームが重なるので、レーザを照明に用いた場合に課題であるスペックルも均一光学系の追加なしに低減することができるという効果がある。
【手続補正９】
【補正対象書類名】明細書
【補正対象項目名】００４２
【補正方法】変更
【補正の内容】
【００４２】
光源３０の広がり角を、各発光点の光軸に対して軸対称なレンズからなるアレイ状コリメータレンズを用いて広がり角を小さくする場合を考える。レンズ後の広がり角は、理想的には発光幅Ｗとレンズの焦点距離ｆを用いて
θｈｏ＝２×ＴＡＮ−１（Ｗ／２／ｆ）            （２３）
となり、レンズ位置で各発光点の光が重ならないように焦点距離ｆを決めると、
ｆ＝（Ｐ―Ｗ）／（２×Ｔａｎ（θｈｉ／２））    （２４）
となるので、式（２３）と式（２４）を整理すると、
Ｔａｎ（θｈｏ／２）／Ｔａｎ（θｈｉ／２）
＝Ｆ．Ｆ．／（１−Ｆ．Ｆ．）                    （２５）
となり、光源３０からの水平方向広がり角とアレイ状レンズ後の広がり角は光源３０のフィルファクタＦ．Ｆ．で制限される。式（２５）より、フィルファクタF．Ｆ．が０．５以上のアレイ状光源は、従来の軸対称なレンズでコリメートするために、前側焦点位置に光源を配置した場合には、ある広がり角θ内のビームに対してケラレが無い条件で、水平方向の広がり角を小さくすることができないことがわかる。
また、各発光点の光軸に対して軸対称でないレンズをアレイ状に組み合わせたコリメータレンズを用いることも考えられるが、レンズの作製難度が高く、安価に作ることが難しい。また、光源とレンズの組立て難度も高くなる。
一方で、本発明のレンズ１０と半導体レーザアレイからなる光源３０との組み合わせにおいては、いかなるフィルファクタＦ．Ｆ．のアレイ状光源においても水平方向の広がり角を小さくすることが可能であり、小さな広がり角、高い光利用効率及び小型化の条件を満足させることのできる平行光発生装置が実現できる。
【手続補正１０】
【補正対象書類名】特許請求の範囲
【補正対象項目名】全文
【補正方法】変更
【補正の内容】
【特許請求の範囲】
【請求項１】
シリンドリカル形状で凹面形状をなす入射面と光軸に対して軸対称な凸面形状をなす出射面とを有するレンズと、
前記光軸に対して垂直な面内における一方の方向と、当該一方の方向とは９０度異なる他方の方向との広がり角が異なる光源とを備え、
前記光源は前記レンズの前記他方の方向の入射面側焦点距離の位置に配置され、かつ、前記光源の一方の方向が前記レンズのシリンドリカル形状の曲率方向に配置されたことを特徴とする平行光発生装置。
【請求項２】
前記光源の前記一方の方向の発光点幅が前記他方の方向の発光点幅より大きいことを特徴とする請求項１記載の平行光発生装置。
【請求項３】
前記光源は非点隔差を有する光源であることを特徴とする請求項１記載の平行光発生装置。
【請求項４】
前記光源は半導体レーザであることを特徴とする請求項３記載の平行光発生装置。
【請求項５】
前記光源は、前記一方の方向に複数の発光点を有することを特徴とする請求項１記載の平行光発生装置。
【請求項６】
前記光源は、前記複数の発光点の各発光幅Ｗと発光点の周期Ｐから決まるフィルファクタＦ．Ｆ．が０．５≦Ｆ．Ｆ．＜１を満たすアレイ状光源であることを特徴とする請求項５記載の平行光発生装置。
【請求項７】
前記光源は、半導体レーザアレイであることを特徴とする請求項５記載の平行光発生装置。
【国際調査報告】
2017187609.tif 000031
2017187609.tif 000032
2017187609.tif 000033
2017187609.tif 000034